(57)【要約】【課題】使用者がミストの噴霧開始命令を入力した際に使用者が不意にミストを浴びるような事故を防止することを可能とするミスト式浴室暖房装置の提供。【解決手段】給湯管５に接続された温水分配管２１、ミスト・ノズル６、発停弁２２、発停スイッチ９を備えたミスト式浴室暖房装置２において、所定の時間を計測するタイマー２８、及び、発停弁２２の閉止状態において発停スイッチ９から動作命令が入力された場合に、タイマー２８を起動して所定時間が経過するまで待機した後、発停弁２２を開弁する発停弁制御部２６を備えた構成とする。これにより、発停スイッチ９の操作後に使用者が待避する猶予時間を設けてミストを浴びる事故を防止する。【選択図】        図３
2005241180.tif 000002
【特許請求の範囲】
【請求項１】
温水を浴室内に噴霧することにより浴室内の暖房を行うミスト式浴室暖房装置において、
給湯管に接続された温水分配管と、
前記温水分配管に設けられた一又は複数のミスト・ノズルと、
前記給湯管と前記温水分配管との間に設けられた電気式の開閉弁である発停弁と、
前記発停弁の動作命令を入力するための発停スイッチと、
所定の時間を計測するタイマーと、
前記発停弁の閉止状態において前記発停スイッチから動作命令が入力された場合に、前記タイマーを起動して所定の時間が経過するまで待機した後、前記発停弁を開弁する発停弁制御部と、
を備えていることを特徴とするミスト式浴室暖房装置。
【請求項２】
浴室の一部に取り付けられた温風暖房乾燥機と、浴室内に取り付けられ、温水を浴室内に噴霧することにより浴室内の暖房を行うミスト式浴室暖房装置と、を備えた浴室暖房乾燥システムに使用される温風暖房乾燥機において、
制御命令信号が入力される入力手段と、
所定の時間を計測するタイマーと、
前記入力手段から入力される制御命令信号が、前記ミスト式浴室暖房装置に対してミストの噴霧開始を指令する噴霧開始命令である場合に、噴霧開始制御信号を出力する指示判定部と、
前記ミスト式浴室暖房装置に対して制御信号を送信する送信手段と、
前記指示判定部により噴霧開始制御信号が出力された場合に、前記タイマーを起動して一定時間が経過するまで待機した後、前記送信手段により前記ミスト式浴室暖房装置に対して噴霧開始命令を送信する本体制御部と、
を備えていることを特徴とする温風暖房乾燥機。
【請求項３】
浴室の一部に取り付けられた温風暖房乾燥機と、浴室内に取り付けられ、温水を浴室内に噴霧することにより浴室内の暖房を行うミスト式浴室暖房装置と、を備えた浴室暖房乾燥システムにおいて、
前記温風暖房乾燥機は、
制御命令信号が入力される入力手段と、
所定の時間を計測するタイマーと、
前記入力手段から入力される制御命令信号が、前記ミスト式浴室暖房装置に対してミストの噴霧開始を指令する噴霧開始命令である場合に、噴霧開始制御信号を出力する指示判定部と、
前記ミスト式浴室暖房装置に対して制御信号を送信する送信手段と、
前記指示判定部により噴霧開始制御信号が出力された場合に、前記タイマーを起動して一定時間が経過するまで待機した後、前記送信手段により前記ミスト式浴室暖房装置に対して噴霧開始命令を送信する本体制御部と、
を備え、
前記ミスト式浴室暖房装置は、
給湯管に接続された温水分配管と、
前記温水分配管に設けられた一又は複数のミスト・ノズルと、
前記給湯管と前記温水分配管との間に設けられた電気式の開閉弁である発停弁と、
前記温風暖房乾燥機の前記赤外線発信部から発信される噴霧開始命令の信号を受信する赤外線受信部と、
前記赤外線受信装置により前記噴霧開始命令を受信した場合に、前記発停弁を開弁する発停弁制御部と、
を備えていることを特徴とする浴室暖房乾燥システム。
【発明の詳細な説明】
【技術分野】
【０００１】
本発明は、温水ミストの発生による浴室の暖房を行うミスト式浴室暖房装置に関するものである。
【背景技術】
【０００２】
従来、温水ミストを噴霧するためのミスト式浴室暖房装置を浴室内に取り付けるとともに、浴室の一部に温風暖房乾燥機を取りつけ、ミスト式浴室暖房装置により浴室内をミスト暖房するとともに、温風暖房乾燥機により浴室内を暖房又は乾燥することが可能な構成の浴室暖房乾燥システムが公知である（特許文献１，２参照）。
【０００３】
図７は特許文献１に記載の浴室暖房乾燥システムの機器配置を表す図である。浴室１００内には、温水又は冷水を出水するカラン１０１、浴槽１０２、及びシャワー１０３が設けられている。浴室１００の一壁面の天井付近には、温風を吹き出す温風暖房乾燥機１０４が取り付けられている。また、浴室１００の一壁面の床面付近には、カラン１０１に近接して、ミスト式浴室暖房装置１０５が設置されている。この場合、浴室暖房乾燥システムは、温風暖房乾燥機１０４とミスト式浴室暖房装置１０５とによって構成される。
【０００４】
ミスト式浴室暖房装置１０５は、種々の構成のものが公知であるが、例えば、特許文献３に記載のもののように、カラン１０１の給湯管に直接接続するものを使用することができる。
【０００５】
また、特許文献２においては、浴室暖房乾燥システムの動作として、（１）ミスト噴霧用ノズルから温水ミストを浴室内に噴霧することにより、浴室内の温度を高めるミスト暖房方式、（２）温水、電気、ガス、灯油等を熱源として温風暖房乾燥機１０４を駆動して浴室内の温度を高める乾燥暖房方式、及び（３）上記ミスト暖房方式と乾燥暖房方式とを併用する併用方式について記載されている。
【特許文献１】特開２００２−２５３４４０号公報
【特許文献２】特開２００２−８９８６６号公報
【特許文献３】特開平１０−１８５２２４号公報
【発明の開示】
【発明が解決しようとする課題】
【０００６】
ところで、このような浴室暖房乾燥システムにおいて、使用者が浴室内でミスト暖房を開始しようとした場合、ミスト式浴室暖房装置１０５の表面パネルにあるスイッチや、温風暖房乾燥機１０４を介してミスト式浴室暖房装置１０５を遠隔操作するリモコン装置等を使用して、ミスト式浴室暖房装置１０５にミストの噴霧開始命令を入力する。この場合、使用者がミスト式浴室暖房装置１０５に顔などを接近した状態で噴霧開始命令を入力する場合も想定される。この際、ミスト式浴室暖房装置１０５から、不意に冷水や熱水のミストが吹き出すと、使用者が意に反して水を浴びたり、火傷を負ったりする可能性も考えられる。
【０００７】
そこで、本発明の目的は、使用者がミストの噴霧開始命令を入力した際に使用者が不意にミストを浴びるような事故を防止することを可能とするミスト式浴室暖房装置、並びに浴室暖房乾燥システム及びそれに使用する温風暖房乾燥機を提供することを目的とする。
【課題を解決するための手段】
【０００８】
本発明に係るミスト式浴室暖房装置は、温水を浴室内に噴霧することにより浴室内の暖房を行うミスト式浴室暖房装置において、給湯管に接続された温水分配管と、前記温水分配管に設けられた一又は複数のミスト・ノズルと、前記給湯管と前記温水分配管との間に設けられた電気式の開閉弁である発停弁と、前記発停弁の動作命令を入力するための発停スイッチと、所定の時間を計測するタイマーと、前記発停弁の閉止状態において前記発停スイッチから動作命令が入力された場合に、前記タイマーを起動して所定の時間が経過するまで待機した後、前記発停弁を開弁する発停弁制御部と、を備えていることを特徴とする。
【０００９】
この構成により、発停弁の閉止状態において、使用者が発停スイッチから動作命令を入力した場合、所定の時間が経過するまではミスト式浴室暖房装置はミストの噴霧を開始せず待機する。そして、所定の時間が経過した後に、ミストの噴霧が開始される。従って、使用者が入力手段から噴霧開始命令を入力した直後に、突然にミスト噴霧が開始され使用者が不意にミストを浴びるような事態を回避することができる。
【００１０】
本発明に係る温風暖房乾燥機は、浴室の一部に取り付けられた温風暖房乾燥機と、浴室内に取り付けられ、温水を浴室内に噴霧することにより浴室内の暖房を行うミスト式浴室暖房装置と、を備えた浴室暖房乾燥システムに使用される温風暖房乾燥機において、制御命令信号が入力される入力手段と、所定の時間を計測するタイマーと、前記入力手段から入力される制御命令信号が、前記ミスト式浴室暖房装置に対してミストの噴霧開始を指令する噴霧開始命令である場合に、噴霧開始制御信号を出力する指示判定部と、前記ミスト式浴室暖房装置に対して制御信号を送信する送信手段と、前記指示判定部により噴霧開始制御信号が出力された場合に、前記タイマーを起動して一定時間が経過するまで待機した後、前記送信手段により前記ミスト式浴室暖房装置に対して噴霧開始命令を送信する本体制御部と、を備えていることを特徴とする。
【００１１】
この構成により、ミスト式浴室暖房装置の発停弁が閉止した状態（閉止状態）において、使用者が入力手段から噴霧開始命令を入力した場合、所定の時間が経過するまでは温風暖房乾燥機からミスト式浴室暖房装置に対して噴霧開始命令が送信されない。そのため、所定の時間が経過するまでは、ミスト式浴室暖房装置はミストの噴霧を開始せず待機する。そして、所定の時間が経過した後に、ミストの噴霧が開始される。従って、使用者が入力手段から噴霧開始命令を入力した直後に、突然にミスト噴霧が開始され使用者が不意にミストを浴びるような事態を回避することができる。
【００１２】
ここで、入力手段としては、無線又は有線のリモコン装置等を使用することができる。また、送信手段としては、有線又は無線の送信装置（例えば、赤外線送信装置等）を使用することができる。
【００１３】
本発明に係る浴室暖房乾燥システムは、浴室の一部に取り付けられた温風暖房乾燥機と、浴室内に取り付けられ、温水を浴室内に噴霧することにより浴室内の暖房を行うミスト式浴室暖房装置と、を備えた浴室暖房乾燥システムにおいて、前記温風暖房乾燥機は、制御命令信号が入力される入力手段と、所定の時間を計測するタイマーと、前記入力手段から入力される制御命令信号が、前記ミスト式浴室暖房装置に対してミストの噴霧開始を指令する噴霧開始命令である場合に、噴霧開始制御信号を出力する指示判定部と、前記ミスト式浴室暖房装置に対して制御信号を送信する送信手段と、前記指示判定部により噴霧開始制御信号が出力された場合に、前記タイマーを起動して一定時間が経過するまで待機した後、前記送信手段により前記ミスト式浴室暖房装置に対して噴霧開始命令を送信する本体制御部と、を備え、前記ミスト式浴室暖房装置は、給湯管に接続された温水分配管と、前記温水分配管に設けられた一又は複数のミスト・ノズルと、前記給湯管と前記温水分配管との間に設けられた電気式の開閉弁である発停弁と、前記温風暖房乾燥機の前記赤外線発信部から発信される噴霧開始命令の信号を受信する赤外線受信部と、前記赤外線受信装置により前記噴霧開始命令を受信した場合に、前記発停弁を開弁する発停弁制御部と、を備えていることを特徴とする。
【発明の効果】
【００１４】
以上のように、本発明によれば、使用者が発停スイッチや入力手段を操作して、ミスト式浴室暖房装置によるミストの噴霧の開始指示を入力した場合、当該操作後、一定の猶予時間をおいてミストの噴霧が開始される。従って、誤って操作したような場合にも突然にミスト噴霧が開始され使用者が不意に冷水又は熱水のミストを浴びるような事故を回避することができる。
【００１５】
また、本発明に係る浴室暖房乾燥システムによれば、発停弁の開弁動作は、使用者がミストの噴霧の開始指示を入力してから、所定の猶予時間が経過した後に行われる。そこで、ミスト式浴室暖房装置を、通常は、低消費電力状態であるスリープ状態にしておいて、この猶予時間を利用して、電源電圧を昇圧して待機状態とし、その後、発停弁の開弁動作を行うようにすることが可能である。従って、ミスト式浴室暖房装置の消費電力を抑えることが可能である。
【発明を実施するための最良の形態】
【００１６】
以下、本発明を実施するための最良の形態について、図面を参照しながら説明する。
【実施例１】
【００１７】
図１は本発明の実施例１に係る浴室暖房乾燥システムの構成を表す図である。本実施例の浴室暖房乾燥システムは、温風暖房乾燥機１、ミスト式浴室暖房装置２、及びリモコン装置３の３つの機器から構成されている。温風暖房乾燥機１は、浴室内の壁の天井部付近に設置される。ミスト式浴室暖房装置２は、浴室の壁の一部に設けられたカラン４の近傍に設置される。リモコン装置３は、持ち運びが可能である。尚、温風暖房乾燥機１とミスト式浴室暖房装置２の浴室内の配置は、具体的には、例えば、図７と同様に配置することができる。
【００１８】
温風暖房乾燥機１は、電気ヒータ、ガスバーナ、灯油バーナ等で沸かした湯で温水熱交換器を加熱し、これで浴室内の空気を加温又は乾燥し、再び浴室内に吹き出す。これにより、浴室内を暖房又は乾燥する。ミスト式浴室暖房装置２は、カラン４の給湯管５に直接接続されている。ミスト式浴室暖房装置２は、この給湯管５から供給される温水を、ミスト・ノズル６からミストとして浴室内に噴霧する。
【００１９】
温風暖房乾燥機１とミスト式浴室暖房装置２との間は赤外線による無線通信が可能である。また、温風暖房乾燥機１とリモコン装置３との間も、赤外線による無線通信が可能である。温風暖房乾燥機１の表面パネルには、赤外線を受光又は発光するための赤外線窓７が設けられている。
【００２０】
使用者がミスト式浴室暖房装置２を遠隔操作する場合には、リモコン装置３によって、温風暖房乾燥機１を介してミスト式浴室暖房装置２に制御指令信号を入力する。ミスト式浴室暖房装置２は電池駆動であり、温風暖房乾燥機１から送信される制御指令信号に従って、給湯管５からの湯の断通を行う発停弁２２（図３参照）を開閉する。発停弁２２が開弁すると、ミスト・ノズル６から温水ミストの噴霧が開始される。発停弁２２が閉止すると、温水ミストの噴霧は停止する。
【００２１】
また、ミスト式浴室暖房装置２の表面パネルには、発停スイッチ９が設けられている。使用者は、この発停スイッチ９を操作することによって、ミスト式浴室暖房装置２を直接操作することも可能である。
【００２２】
図２は図１の温風暖房乾燥機１の構成を表すブロック図である。温風暖房乾燥機１は、赤外線受信部１０、タイマー１１、指示判定部１２、本体制御部１３、及び赤外線送信部１４を備えている。赤外線受信部１０は、リモコン装置３から送信されてくる赤外線信号を受信する。この赤外線受信部１０とリモコン装置３によって、制御命令信号を入力するための入力手段が構成されている。
【００２３】
タイマー１１は所定の時間を計測する。指示判定部１２は、赤外線受信部１０から入力される制御命令信号が噴霧開始命令である場合に、噴霧開始制御信号を出力する。ここで、噴霧開始命令とは、ミスト式浴室暖房装置２に対してミストの噴霧開始を指令する命令である。
【００２４】
本体制御部１３は、指示判定部１２により噴霧開始制御信号が出力された場合、タイマー１１を起動して一定時間が経過するまで待機した後、赤外線送信部１４によりミスト式浴室暖房装置２に対して噴霧開始命令を送信する。ここで、赤外線送信部１４は、ミスト式浴室暖房装置に対して制御信号を送信する送信手段を構成している。
【００２５】
図３は図１のミスト式浴室暖房装置２の構成を表すブロック図である。なお、図３は、配管構成部分２０と制御構成部分２３とに分けて抽象化して示されている。
【００２６】
まず、配管構成部分２０は、温水分配管２１、９個のミスト・ノズル６、及び発停弁２２を備えている。温水分配管２１は、Ｕ字型に構成された管であり、その中央付近が、発停弁２２を介して図１の給湯管５に接続されている。温水分配管２１の各所にミスト・ノズル６が取り付けられている。給湯管５から温水分配管２１に送水される温水は、このミスト・ノズル６から噴霧される。なお、発停弁２２は、電気式の開閉弁である。
【００２７】
一方、制御構成部分２３は、発停スイッチ９、赤外線受信部２４、装置作動判定部２５、発停弁制御部２６、電源制御部２７、及びタイマー２８を備えている。発停スイッチ９は、図１のものと同様であり、発停弁２２の動作命令を入力するためのものである。赤外線受信部２４は、温風暖房乾燥機１から送信されてくる赤外線信号を受信する。装置作動判定部２５は、赤外線受信部２４を介して温風暖房乾燥機１から入力される制御命令を復号し、発停弁制御部２６及び電源制御部２７に出力する。発停弁制御部２６は、発停弁２２の開閉を制御する。電源制御部２７は、ミスト式浴室暖房装置２の電源電圧の制御を行う。
【００２８】
以上のように構成された本実施例に係る浴室暖房乾燥システムについて、以下、その動作を説明する。
【００２９】
図４は温風暖房乾燥機１の動作を表すフローチャート、図５は使用者がリモコン装置３からミスト噴霧命令を入力した場合における浴室暖房乾燥システムの各機器間の信号伝達を表す図である。まず、温風暖房乾燥機１は、リモコン装置３から制御命令が入力されるのを待つ（Ｓ１）。温風暖房乾燥機１から、制御命令が赤外線信号で送信されると、赤外線受信部１０がこれを受信し、電気信号として指示判定部１２に出力する。
【００３０】
指示判定部１２は、入力された制御命令を復号して、本体制御部１３に出力する。本体制御部１３は、ミスト噴霧命令である場合（Ｓ２）、赤外線送信部１４からミスト式浴室暖房装置２に対して、ウェイクアップ命令を送信する（Ｓ３）。そして、タイマー１１をスタートし（Ｓ４）、所定の時間が経過するまで待機する（Ｓ５）。ここで、所定の時間としては、使用者がミスト式浴室暖房装置２の前から待避するのに十分な時間が設定される。具体的には、約５〜１０秒程度に設定するとよい。この所定の待機時間が経過した後、本体制御部１３は、赤外線送信部１４によりミスト式浴室暖房装置２に対して、ミスト噴霧命令を送信する（Ｓ６）。
【００３１】
このように、使用者によって、リモコン装置３によりミスト噴霧命令が入力された場合、温風暖房乾燥機１は、所定の待機時間だけ待機してからミスト式浴室暖房装置２に対して、ミスト噴霧命令を送信する。これにより、使用者がミスト式浴室暖房装置２の前から待避するだけの時間的な余裕が生まれるため、突然にミスト噴霧が開始され使用者が不意に冷水又は熱水のミストを浴びるような事故を回避することができる。
【００３２】
ステップＳ２において、入力された制御命令がミスト噴霧命令でない場合、本体制御部１３は、当該制御命令がミスト停止命令か否かを判定する（Ｓ７）。そして当該制御命令が、ミスト停止命令である場合、本体制御部１３は、赤外線送信部１４によりミスト式浴室暖房装置２に対して、ミスト停止命令を送信する（Ｓ８）。
【００３３】
ステップＳ７において、入力された制御命令がミスト停止命令でない場合、本体制御部１３は、当該制御命令がスリープ命令か否かを判定する（Ｓ９）。そして当該制御命令が、スリープ命令である場合、本体制御部１３は、赤外線送信部１４によりミスト式浴室暖房装置２に対してスリープ命令を送信する（Ｓ１０）。
【００３４】
ステップＳ９において、入力された制御命令がスリープ命令でない場合、当該制御命令は温風暖房乾燥機１に対する制御命令であるため、本体制御部１３は、当該制御命令に従って、温風暖房乾燥機１の動作制御を行う（Ｓ１１）。
【００３５】
次に、ミスト式浴室暖房装置２の動作について説明する。図６はミスト式浴室暖房装置の動作を表すフローチャートである。最初に、ミスト式浴室暖房装置２は、スリープ状態にある。ここで、スリープ状態とは、省電力化を図るために電源電圧を通常の動作を行う状態よりも降圧した状態をいう。この状態で、ミスト式浴室暖房装置２は、温風暖房乾燥機１からウェイクアップ命令が送信されてくるまで待機する（Ｓ２１）。
【００３６】
温風暖房乾燥機１から制御信号が赤外線信号として送信されてきた場合、赤外線受信部２４はこの赤外線信号を受信して電気信号に変換し、装置作動判定部２５に出力する。装置作動判定部２５は、電源制御部２７に対してウェイクアップ命令を出力する。電源制御部２７は、ウェイクアップ命令が入力されると、電源電圧を昇圧してウェイクアップ状態とする（Ｓ２２）。
【００３７】
次に、このウェイクアップ状態で、使用者が発停スイッチ９を操作して動作命令を入力した場合（Ｓ２３）、その時点で発停弁２２が閉止状態にあれば（Ｓ２４）、発停弁制御部２６は、タイマー２８をスタートして（Ｓ２５）、所定の待機時間が経過するまで待機する（Ｓ２６）。ここで、所定の待機時間としては、上記ステップＳ５の場合と同様に、使用者がミスト式浴室暖房装置２の前から待避するのに十分な時間が設定される。この所定の待機時間が経過した後、発停弁制御部２６は、発停弁２２を開弁する（Ｓ２７）。
【００３８】
このように、使用者によって、発停スイッチ９により動作命令が入力された場合、ミスト式浴室暖房装置２は、所定の待機時間だけ待機してから発停弁２２を開弁しミストの噴霧を開始する。これにより、使用者がミスト式浴室暖房装置２の前から待避するだけの時間的な余裕が生まれるため、突然にミスト噴霧が開始され使用者が不意に冷水又は熱水のミストを浴びるような事故を回避することができる。
【００３９】
一方、上記動作命令が入力された時点で発停弁２２が開弁状態にあれば（Ｓ２４）、発停弁制御部２６は、発停弁２２を閉止する（Ｓ２８）。
【００４０】
次に、上記ステップＳ２３で、発停スイッチ９からの入力がない場合、ミスト式浴室暖房装置２は、赤外線受信部２４からの制御命令の入力があるか否かを判定し（Ｓ２９）、ない場合には再びステップＳ２３に戻る。
【００４１】
ステップＳ２９において、赤外線受信部２４からの制御命令の入力があった場合、装置作動判定部２５は、当該制御命令がミスト噴霧命令であるか否かを判定する（Ｓ３０）。これが、ミスト噴霧命令であった場合、発停弁制御部２６は、発停弁２２を開弁する（Ｓ３１）。この場合には待機時間はとっていないが、これは、上で説明したように、温風暖房乾燥機１においてミスト噴霧命令を発信する際に、十分な待機時間をとっているからである。
【００４２】
ここで、温風暖房乾燥機１において十分な待機時間をとることにより、ミスト式浴室暖房装置２がウェイクアップ命令を受けてスリープ状態からウェイクアップ状態に移行するまでの電源電圧の昇圧を、この待機時間を利用して行うことができるというメリットが生じる。
【００４３】
ステップＳ３０において、赤外線受信部２４からの制御命令がミスト噴霧命令ではなかった場合、発停弁制御部２６が発停弁２２を閉止した後（Ｓ３２）、電源制御部２７は電源電圧を降圧してスリープ状態とし（Ｓ３３）、再びステップＳ２１に戻る。
【００４４】
以上のように、本実施例の浴室暖房乾燥システムでは、使用者が発停スイッチ９やリモコン装置３を操作して、ミスト式浴室暖房装置２によるミストの噴霧の開始指示を入力した場合、当該操作後、必ず一定の猶予時間をおいてミストの噴霧が開始される。従って、突然にミスト噴霧が開始され使用者が不意に冷水又は熱水のミストを浴びるような事故を回避することができる。
【図面の簡単な説明】
【００４５】
【図１】本発明の実施例１に係る浴室暖房乾燥システムの構成を表す図である。
【図２】図１の温風暖房乾燥機１の構成を表すブロック図である。
【図３】図１のミスト式浴室暖房装置２の構成を表すブロック図である。
【図４】温風暖房乾燥機１の動作を表すフローチャートである。
【図５】使用者がリモコン装置３からミスト噴霧命令を入力した場合における浴室暖房乾燥システムの各機器間の信号伝達を表す図である。
【図６】ミスト式浴室暖房装置の動作を表すフローチャートである。
【図７】特許文献１に記載の浴室暖房乾燥システムの機器配置を表す図である。
【符号の説明】
【００４６】
１  温風暖房乾燥機
２  ミスト式浴室暖房装置
３  リモコン装置
４  カラン
５  給湯管
６  ミスト・ノズル
７  赤外線窓
９  発停スイッチ
１０  赤外線受信部
１１  タイマー
１２  指示判定部
１３  本体制御部
１４  赤外線送信部
２０  配管構成部分
２１  温水分配管
２２  発停弁
２３  制御構成部分
２４  赤外線受信部
２５  装置作動判定部
２６  発停弁制御部
２７  電源制御部
２８  タイマー
【図１】
2005241180.tif 000003
【図２】
2005241180.tif 000004
【図３】
2005241180.tif 000005
【図４】
2005241180.tif 000006
【図５】
2005241180.tif 000007
【図６】
2005241180.tif 000008
【図７】
2005241180.tif 000009